(57)【特許請求の範囲】
【請求項１】
容器の中心軸を回転軸として該容器を回転させて、該容器内に注入された検体として血液を遠心分離する遠心分離部と、
該遠心分離部によって遠心分離された前記容器内の検体成分として血漿成分を計測する計測部と、
前記遠心分離中の前記検体の気化に起因する濃度変化に基づく補正演算処理を前記計測結果に施す補正部とを備えることを特徴とする計測装置。
【請求項２】
前記計測部が、前記遠心分離部以外の外部の遠心分離装置によって遠心分離された検体成分も計測し、
前記補正部が、前記外部の遠心分離装置によって遠心分離された検体成分の前記計測結果には前記補正演算処理を施さない、または前記遠心分離部によって遠心分離された検体成分の前記計測結果に対する前記補正演算処理の際に用いた演算パラメータとは異なる演算パラメータを用いて、前記外部の遠心分離装置によって遠心分離された検体の前記計測結果に対して前記補正演算処理を施す請求項１記載の計測装置。
【請求項３】
気圧情報を取得する気圧情報取得部を備え、
前記補正部が、前記気圧情報に基づく前記補正演算処理を前記計測結果に施す請求項１または２記載の計測装置。
【請求項４】
環境温度情報を取得する温度情報取得部を備え、
前記補正部が、前記環境温度情報に基づく前記補正演算処理を前記計測結果に施す請求項１から３いずれか１項記載の計測装置。
【請求項５】
環境湿度情報を取得する湿度情報取得部を備え、
前記補正部が、前記環境湿度情報に基づく前記補正演算処理を前記計測結果に施す請求項１から４いずれか１項記載の計測装置。
【請求項６】
前記遠心分離の時間の情報を取得する時間情報取得部を備え、
前記補正部が、前記遠心分離の時間の情報に基づく前記補正演算処理を前記計測結果に施す請求項１から５いずれか１項記載の計測装置。
【請求項７】
前記遠心分離された検体成分の量の情報を取得する検体量情報取得部を備え、
前記補正部が、前記検体成分の量の情報に基づく前記補正演算処理を前記計測結果に施す請求項１から６いずれか１項記載の計測装置。
【請求項８】
前記検体量情報取得部が、前記検体が血液である場合、該血液のヘマトクリット値の情報を取得し、該ヘマトクリット値の情報に基づいて血漿成分の量の情報を前記検体成分の量の情報として取得する請求項７記載の計測装置。
【請求項９】
気圧情報、環境温度情報、環境湿度情報、前記遠心分離の時間の情報および前記検体の量の情報を取得する情報取得部を備え、
前記補正部が、気圧情報、環境温度情報、環境湿度情報、前記遠心分離の時間の情報および前記検体の量の情報に基づく前記補正演算処理を前記計測結果に施す請求項１記載の計測装置。
【請求項１０】
前記計測の対象の検体が注入された容器の情報を取得する容器情報取得部を備え、
前記補正部が、前記容器の情報に基づく前記補正演算処理を前記計測結果に施す請求項１から９いずれか１項記載の計測装置。
【請求項１１】
前記補正部が、複数の前記容器の情報に対応する前記補正演算処理の演算パラメータを記憶する請求項１０記載の計測装置。
【発明の詳細な説明】
【技術分野】
【０００１】
本発明は、自転式遠心分離によって遠心分離された検体成分を計測する計測装置に関するものである。
【背景技術】
【０００２】
従来、容器内の血液などの検体の各成分を遠心分離する遠心分離装置が知られている。このような遠心分離装置としては、いわゆる公転式遠心分離装置と自転式遠心分離装置とがある。
【０００３】
図１９は、公転式遠心分離装置の概略構成およびその動作を示すものである。図１９に示すように、公転式遠心分離装置では、血液ＢＬおよび分離剤Ｓを収容した採血管Ｐ１などを、密閉蓋をした状態で回転させることによって遠心分離が行われる。具体的には、採血管Ｐ１が設置された回転軸Ｑ１をモータＭ１によって回転させることによって採血管Ｐ１内の血液ＢＬの各成分が遠心分離され、これにより血漿成分ＢＰのみを取り出すことができる。
【０００４】
一方、図２０は、自転式遠心分離装置の概略構成およびその動作を示すものである。図２０に示すように、自転式遠心分離装置においては、中心から外周に向けて高くなるように傾斜した内壁を有し、容器内部に検体を貯留する貯留部が形成された遠心分離用容器Ｐ２が使用される。具体的には、遠心分離用容器Ｐ２の貯留部に血液ＢＬを収容した後、回転軸Ｑ２をモータＭ２によって回転させることによって遠心分離用容器Ｐ２自体を回転させる。このように遠心分離用容器Ｐ２が回転することによる遠心力により、血液ＢＬの各成分が、その比重の低い成分から順番に内周側から外周側へと積層体を形成するように分離される。そして、遠心分離用容器の回転が停止すると、一般的には内周側の低比重の成分（血漿成分ＢＰ）が積層体から剥離して遠心分離用容器の底に貯留される。
【０００５】
公転式遠心分離装置は、一般的には血球の移動距離が長くなるため、血漿成分と血球を分離するのに比較的長い時間を要する。これに対し、自転式遠心分離装置は、血球の移動距離が短いため、遠心分離の時間を短くすることができ、また、公転式遠心分離装置よりも小型化が可能であるというメリットがある。
【先行技術文献】
【特許文献】
【０００６】
【特許文献１】特開２００６−１１９１２７号公報
【特許文献２】国際公開第２００６−０４６５３７号パンフレット
【特許文献３】実公平６−１２８３０号公報
【発明の概要】
【発明が解決しようとする課題】
【０００７】
しかしながら、自転式遠心分離装置において使用される遠心分離用容器の上面には、血液を注入したり、血漿成分を取り出すためのノズルが挿入される開口が設けられており、遠心分離中にこの開口において空気の流れＦが発生する。この空気の流れＦによって気液界面の空気の入れ替わりが早く、かつ血液と空気とが接する表面積も大きいため、遠心分離中の血漿成分の気化は、自然気化に比べて進行が早い。特に、血漿成分が少ない場合には、その体積に対して空気に接する表面積が大きくなるため、気化による濃度変化量が大きくなる傾向にある。すなわち、自転式遠心分離装置を用いて血漿成分を遠心分離した場合、血漿成分中の生化学物質の濃度を正確に測定することが困難である。
【０００８】
このような問題に対して、たとえば自転式遠心分離装置においても、遠心分離用容器の開口に密閉蓋を設けることが考えられるが、全自動で遠心分離から計測までを行う場合には、密閉蓋を外す構成が必要となり、あまり現実的ではない。一方、蓋を設けない場合には、上述したように血漿中の水分の気化によって血液中のＮａ（ナトリウム）などの濃度が濃縮され、また、血漿中の溶け込んだＣＯ２（炭酸ガス）などの気体が気化してしまうため、Ｎａ濃度やＴＣＯ２（総炭酸ガス）濃度を正確に測定することができない。したがって、別の公転式遠心分離装置で遠心分離した血漿中の成分の計測結果とは異なる測定結果となってしまう。
【０００９】
特許文献１〜特許文献３においては、上述したような検体の気化を抑制するための構成を新たに設けることが開示されているが、このように新しい構成を設けるようにしたのでは、コストアップとなる。
【００１０】
本発明は、上記の問題に鑑み、自転式遠心分離装置によって遠心分離した検体成分のより正確な測定結果を取得可能な計測装置を提供することを目的とする。
【課題を解決するための手段】
【００１１】
本発明の計測装置は、容器の中心軸を回転軸としてその容器を回転させて、容器内に注入された検体を遠心分離する遠心分離部と、遠心分離部によって遠心分離された容器内の検体成分を計測する計測部と、遠心分離中の検体の気化に起因する濃度変化に基づく補正演算処理を計測結果に施す補正部とを備えることを特徴とする。
【００１２】
また、上記本発明の計測装置においては、計測部は、遠心分離部以外の外部の遠心分離装置によって遠心分離された検体成分も計測することができ、補正部は、外部の遠心分離装置によって遠心分離された検体成分の計測結果には補正演算処理を施さない、または遠心分離部によって遠心分離された検体成分の計測結果に対する補正演算処理の際に用いた演算パラメータとは異なる演算パラメータを用いて、外部の遠心分離装置によって遠心分離された検体の計測結果に対して補正演算処理を施すことができる。
【００１３】
また、気圧情報を取得する気圧情報取得部を備え、補正部は、気圧情報に基づく補正演算処理を計測結果に施すことができる。
【００１４】
また、環境温度情報を取得する温度情報取得部を備え、補正部は、環境温度情報に基づく補正演算処理を計測結果に施すことができる。
【００１５】
また、環境湿度情報を取得する湿度情報取得部を備え、補正部は、環境湿度情報に基づく補正演算処理を計測結果に施すことができる。
【００１６】
また、遠心分離の時間の情報を取得する時間情報取得部を備え、補正部は、遠心分離の時間の情報に基づく補正演算処理を計測結果に施すことができる。
【００１７】
また、遠心分離された検体成分の量の情報を取得する検体量情報取得部を備え、補正部は、検体成分の量の情報に基づく補正演算処理を計測結果に施すことができる。
【００１８】
また、検体量情報取得部は、検体が血液である場合、血液のヘマトクリット値の情報を取得し、そのヘマトクリット値の情報に基づいて血漿成分の量の情報を検体成分の量の情報として取得することができる。
【００１９】
また、気圧情報、環境温度情報、環境湿度情報、遠心分離の時間の情報および検体の量の情報を取得する情報取得部を備え、補正部は、気圧情報、環境温度情報、環境湿度情報、遠心分離の時間の情報および検体の量の情報に基づく補正演算処理を計測結果に施すことができる。
【００２０】
また、計測部は、遠心分離された検体に含まれる気体成分を計測することができ、補正部は、遠心分離によって気化した気体成分の量に基づく補正演算処理を計測結果に施すことができる。
【００２１】
また、計測の対象の検体が注入された容器の情報を取得する容器情報取得部を備え、補正部は、容器の情報に基づく補正演算処理を計測結果に施すことができる。
【００２２】
また、補正部は、複数の容器の情報に対応する演算パラメータを記憶することができる。
【発明の効果】
【００２３】
本発明の計測装置によれば、自転式遠心分離によって分離された検体成分の計測結果に対し、遠心分離中の検体の気化に起因する濃度変化に基づく補正演算処理を施すようにしたので、より正確な計測結果を取得することができる。また、公転式遠心分離によって分離された検体成分の計測結果と同様の測定結果を取得することができる。
【図面の簡単な説明】
【００２４】
【図１】本発明の計測装置の一実施形態を用いた生化学分析装置の概略構成を示すブロック図
【図２】遠心分離用容器の構造を示す概略図
【図３】容器本体４のＸ−Ｘ断面の概略斜視図
【図４】容器本体４のＸ−Ｘ断面における内部構造を示す概略断面図
【図５】遠心分離時の遠心分離用容器内部の様子を示す概略断面図
【図６】遠心分離の工程を示す図
【図７】遠心分離部および計測部の概略構成を示す正面断面図
【図８】点着部近傍の拡大断面図
【図９】自転式遠心分離による血漿成分の蒸発量を実験によって計測した結果を示す図
【図１０】補正演算処理を施した濃度Ｃ２と補正演算処理前の濃度Ｃ１とを比較した結果を示す図
【図１１】気圧および血漿成分の量を固定値とした場合の補正演算処理後の濃度Ｃ２を示す図
【図１２】環境温度および気圧を固定値とした場合の補正演算処理後の濃度Ｃ２を示す図
【図１３】環境湿度および気圧を固定値とした場合の補正演算処理後の濃度Ｃ２を示す図
【図１４】血漿成分の量、環境温度および気圧を固定値とした場合の補正演算処理後の濃度Ｃ２を示す図
【図１５】蒸発量を０．７％の固定値とした場合の補正演算処理後の濃度Ｃ２を示す図
【図１６】液面検出センサを用いて血漿成分などの量を計測する方法を説明するための図
【図１７】遠心分離用容器内に収容された血漿成分の液面の高さＨと血漿成分の量との関係を示すテーブル
【図１８】本発明の計測装置のその他の実施形態を用いた生化学分析装置の概略構成を示すブロック図
【図１９】公転式遠心分離装置の概略構成およびその動作を示す図
【図２０】自転式遠心分離装置の概略構成およびその動作を示す図
【発明を実施するための形態】
【００２５】
以下、本発明の計測装置の一実施形態を用いた生化学分析装置について、図面を参照しながら詳細に説明する。図１は、本実施形態の生化学分析装置の概略構成を示すブロック図である。
【００２６】
本実施形態の生化学分析装置１は、図１に示すように、遠心分離部１０と、計測部２０と、補正部３０と、情報取得部４０と、出力部５０と、入力部６０とを備えている。
【００２７】
遠心分離部１０は、後述する遠心分離用容器の中心軸を回転軸として遠心分離用容器を回転させ、これにより遠心分離用容器内に注入された検体を遠心分離するものである。
【００２８】
計測部２０は、遠心分離部１０によって遠心分離された検体の成分を計測するものである。また、計測部２０は、生化学分析装置１に設けられた遠心分離部１０によって遠心分離された検体の成分の計測を行うだけでなく、生化学分析装置１とは異なる外部遠心分離装置２によって遠心分離された検体の成分の計測も行うことができるものである。
【００２９】
補正部３０は、計測部２０における計測結果に対して補正演算処理を施すものである。この補正演算処理は、遠心分離部１０における遠心分離中の検体の気化に起因する濃度変化を補正するための演算処理である。より具体的には、本実施形態の補正部３０は、情報取得部４０によって取得された検体の気化に関連する情報に基づいて、計測結果に対して補正演算処理を施すものである。
【００３０】
また、補正部３０は、遠心分離部１０によって遠心分離された検体の計測結果に対しては、上述した補正演算処理を施すが、外部遠心分離装置２によって遠心分離された検体の計測結果に対しては補正演算処理を施さないものである。または、補正部３０は、遠心分離部１０によって遠心分離された検体の成分の計測結果に対する補正演算処理の際に用いた演算パラメータとは異なる演算パラメータを用いて、外部遠心分離装置２によって遠心分離された検体の計測結果に対して補正演算処理を施すものである。なお、補正部３０における補正演算処理については、後で詳述する。
【００３１】
情報取得部４０は、気圧情報を取得する気圧情報取得部４１と、環境温度情報を取得する環境温度情報取得部４２と、環境湿度情報を取得する環境湿度情報取得部４３と、遠心分離部１０における遠心分離の時間の情報を取得する時間情報取得部４４と、遠心分離された検体成分の量の情報を取得する検体量情報取得部４５とを備えている。
【００３２】
気圧情報取得部４１、環境温度情報取得部４２および環境湿度情報取得部４３は、それぞれ気圧センサ、温度センサおよび湿度センサによって検出された情報を取得するものである。各センサについては、後で詳述する。また、時間情報取得部４４によって取得される遠心分離の時間情報および検体量情報取得部４５によって取得される検体成分の量の情報は、それぞれキーボードまたはタッチパネルなどを備えた入力部６０を用いて、ユーザによって設定入力されるものである。なお、気圧情報、環境温度情報または環境湿度情報についても、ユーザが設定入力するようにしてもよい。また、気圧情報については、必ずしもユーザが気圧情報を直接設定入力しなくてもよく、たとえば生化学分析装置１の設置場所によって、気圧は決まってくるので、設置場所の情報をユーザが設定入力するようにしてもよい。そして、この場合、気圧情報取得部４１に、設置場所と気圧情報とを対応付けたテーブルを記憶しておき、このテーブルから気圧情報を取得するようにしてもよい。
【００３３】
また、時間情報取得部４４によって取得される遠心分離の時間情報を自動的に計測するようにしてもよい。具体的には、たとえば遠心分離中における検体成分（血漿成分）の光透過率を計測し、この透過率が予め設定された閾値以下になった時点の時刻を取得し、遠心分離開始から上記時刻までの時間を遠心分離の時間として取得するようにしてもよい。
【００３４】
出力部５０は、補正部３０において補正演算処理の施された演算結果を出力するものである。具体的には、出力部５０は、液晶ディスプレイなどの表示装置を備えたものであり、その表示装置に計測結果を表示するものである。なお、出力部５０は、表示装置に演算結果を表示させるだけでなく、演算結果をデータサーバ装置などに出力して記憶させるようにしてもよいし、印刷装置になどに出力して演算結果を印刷物として出力させるようにしてもよい。
【００３５】
次に、遠心分離部１０に設置される遠心分離用容器の一実施形態について説明する。
【００３６】
図２は、本実施形態の遠心分離用容器３の構造を示す概略図である。図２のＩは、遠心分離用容器３の容器本体４の斜視図であり、図２のＩＩは、遠心分離用容器３の蓋部５の斜視図である。また、図３は、図２のＩに示す容器本体４のＸ−Ｘ断面の概略斜視図であり、図４は、容器本体４のＸ−Ｘ断面における内部構造を示す概略断面図である。
【００３７】
本実施形態の遠心分離用容器３は、図２から図４に示されるように、容器本体４と蓋部５とから構成される。容器本体４は、傾斜内壁部２１と、底部２２と、トラップ底面部２４と、トラップ側面部２７と、蓋部５と嵌合する嵌合部２５と、これらを支える支持外壁部２６とを有する。
【００３８】
蓋部５は、検体を注入するための開口５２が形成された開口部５１と、容器本体４と嵌合した際にトラップ底面部２４およびトラップ側面部２７と共にトラップ空間１１ａを形成するトラップ上面部５３とを有する。
【００３９】
遠心分離用容器３は、底部２２の中心を通りかつ底部２２に垂直な軸（遠心分離用容器の中心軸Ｃ）に関して線対称な内部構造（換言すれば、中心軸Ｃを中心とする一種の回転体のような構造）を有し、また外観的には円柱形状を有する。遠心分離の際には、蓋部５が容器本体４の嵌合部２５に嵌合された状態で例えば固着され、中心軸Ｃを回転軸として遠心分離用容器３が回転させられる。
【００４０】
図４に示されるように、容器本体４および蓋部５が嵌合することにより、検体が注入される貯留空間１１が形成される。具体的には、この貯留空間１１は、傾斜内壁部２１、底部２２、トラップ底面部２４、トラップ側面部２７、トラップ上面部５３および開口部５１によって囲まれた空間である。この貯留空間のうち、特にトラップ底面部２４、トラップ側面部２７およびトラップ上面部５３によって挟まれた空間１１ａが、遠心分離用容器３を回転させて検体を遠心分離した際に高比重の成分をトラップするトラップ空間となる。
【００４１】
傾斜内壁部２１は、漏斗状の傾斜面であり、貯留空間１１の開口断面の径が開口端から暫減するように形成されたものである。また、傾斜内壁部２１には凹部２３が形成されている。また、傾斜内壁部２１は、中心軸Ｃに関して凹部２３と対称な位置に突起部２８が形成されている。
【００４２】
突起部２８は、遠心分離用容器３の重心位置を調整するものであり、傾斜内壁部２１に凹部２３が形成されたことによって形成されたものである。なお、重心位置のずれが大きくない場合（装置の騒音および振動が問題とならない場合など）には、必ずしも突起部２８を形成しなくてもよい。
【００４３】
トラップ空間１１ａは中心軸Ｃを中心とする円環形状を有し、トラップ空間１１ａの体積は注入される検体の量に応じて設計される。また、例えばトラップ空間１１ａには、予め分離剤（または分離ゲル）が配置される。この分離剤は、検体中の分離したい低比重の成分および高比重の成分に応じて、各成分の比重の中間の比重を有する材料から適宜選択される。具体的には、血液中の血漿（低比重の成分）および血球（高比重の成分）を分離する場合には、血漿の比重と血球の比重との中間の比重を有する材料を選択すればよい。
【００４４】
蓋部５の開口部５１は、たとえば頂点が切断された円錐形状を有し、開口５２に行くほど開口断面の径が小さくなる傾斜面を有する。この傾斜面により貯留空間１１の上側部分が形成されている。
【００４５】
次に、上述した遠心分離用容器３の機能について説明する。遠心分離は、上述した遠心分離用容器３を、中心軸Ｃを回転軸として回転させることによって行われる。図５は、遠心分離時の遠心分離用容器内部の様子を示す概略断面図である。図５では、低比重の成分６ａおよび高比重の成分６ｂを有する検体６が遠心分離された結果、貯留空間１１の外周側領域に、遠心分離の成果物としての積層体が形成された状態が示されている。この積層体は、内周側から順に低比重の成分６ａの層、分離剤７の層および高比重の成分６ｂの層が積層されたものである。
【００４６】
図５に示されるように、凹部２３は、傾斜内壁部２１の外周端部に設けられている。これにより、低比重の成分６ａの凹部２３上に存在する部分が他の領域に存在する部分に比べて積層体から剥離しやすくなる。
【００４７】
次に、上述した遠心分離用容器３を用いた遠心分離の工程について説明する。図６は、遠心分離の工程を示す図である。
【００４８】
まず、トラップ空間１１ａに分離剤７が予め配置された遠心分離用容器３が用意され、その遠心分離用容器３の開口５２から貯留空間１１に検体６が注入される（図６のＩ）。次に、検体６が注入された遠心分離用容器３は、遠心分離部１０に設置されて回転させられる。このとき、回転の遠心力により遠心分離用容器３の内容物が、比重に応じて分離し、貯留空間１１の外周側に積層体を形成する（図６のＩＩ）。高比重の成分６ｂは、分離剤７によってトラップ空間１１ａに捕捉される。
【００４９】
次に、遠心分離用容器３の回転が止まると、凹部２３上に存在する低比重の成分６ａの部分から剥離が開始し（図６のＩＩＩ）、その凹部２３上の部分の低比重の成分６ａの剥離に追随するようにその他の部分も徐々に剥離が進行する。一方、高比重の成分６ｂは、トラップ空間１１ａにそのまま残ることになる。そして、すべての低比重の成分６ａが積層体から剥離すると、低比重の成分６ａは貯留空間１１の下方にたまり、低比重の成分６ａのみが抽出され回収可能な状態となる（図６のＩＶ）。
【００５０】
次に、本実施形態の生化学分析装置１の遠心分離部１０および計測部２０の構成について、図７および図８を参照しながら詳細に説明する。図７は、遠心分離部１０および計測部２０の概略構成を示す正面断面図、図８は、図７に示す計測部２０の点着部近傍の拡大断面図である。
【００５１】
計測部２０は、図７および図８に示すように、点着部１００、インキュベータ２００、測光ヘッド２１０、点着機構３００、素子搬送機構４００（図７では図示省略している）、チップ廃却部５００および各種機構を制御する制御部などを備えている。
【００５２】
点着部１００は、搬送された乾式分析素子１０１に血漿などの遠心分離された検体成分の点着が行われる部分である。なお、本実施形態においては、点着部１００に比色測定タイプの乾式分析素子１０１が搬送され、その乾式分析素子１０１に対して点着機構３００によって検体成分が点着される。
【００５３】
点着部１００は、図８に示すように、点着用開口１０４ａが形成された素子押え１０４を備えている。そして、素子押え１０４の下方には、乾式分析素子１０１が通過する空間１０４ｂが形成されている。
【００５４】
乾式分析素子１０１は、素子搬送機構４００によって空間１０４ｂに配置され、点着機構３００によって点着された後、素子搬送機構４００によって押し出されてインキュベータ２００に移送される。
【００５５】
素子搬送機構４００は、図８に示すように、乾式分析素子１０１を後述する素子カートリッジ１０２から点着部１００へ、さらにインキュベータ２００へ搬送する素子搬送部材４０１を備える。素子搬送部材４０１はガイドロッド４０２により摺動自在に支持され、不図示の駆動機構によって往復移動操作される。素子搬送部材４０１の先端部は、縦板４０３のガイド穴４０３ａに挿入され、このガイド穴４０３ａを摺動する。
【００５６】
そして、点着部１００に続いてノズルチップ３０１が廃却されるチップ廃却部５００が配置されている。
【００５７】
インキュベータ２００は円形で、比色タイプの乾式分析素子１０１を収容して所定時間恒温保持し、比色測定を行う。
【００５８】
点着機構３００は上部に配設され、昇降移動する点着ノズル３０２が、検体の点着を行う。点着ノズル３０２は、その先端にノズルチップ３０１が装着され、そのノズルチップ３０１内に検体を吐出するものである。使用後のノズルチップ３０１はチップ廃却部５００で外されて下方に落下し、廃却される。
【００５９】
点着機構３００は、固定フレーム３１０の水平ガイドレール３１２に、横方向に移動可能に保持された移動フレーム３０３を備え、この移動フレーム３０３に昇降移動可能に２本の点着ノズル３０２が設置されている。移動フレーム３０３には中央に縦ガイドレール３０４が設けられており、この縦ガイドレール３０４の両側に２つのノズル固定台３０５が摺動自在に保持されている。ノズル固定台３０５の下部には、それぞれ点着ノズル３０２の上端部が固着されている。また、ノズル固定台３０５の上部には、上方に延びる軸状部材が設けられており、その軸状部材が駆動伝達部材３０６に挿通されている。ノズル固定台３０５と駆動伝達部材３０６との間に介装された圧縮バネにより、ノズルチップ３０１の嵌合力を得るようになっている。ノズル固定台３０５は駆動伝達部材３０６と一体に上下移動可能であると共に、点着ノズル３０２の先端部にノズルチップ３０１を嵌合する際に、圧縮バネの圧縮でノズル固定台３０５に対して駆動伝達部材３０６が下降移動可能である。駆動伝達部材３０６は、上下のプーリ３０７に設けられたベルト３０８に固定され、不図示のモータによるベルト３０８の走行に応じて上下移動する。
【００６０】
また、移動フレーム３０３は不図示のベルト駆動機構によって横方向に駆動され、２つのノズル固定台３０５は独自に上下移動するように、その横移動および上下移動が制御され、２つの点着ノズル３０２は、一体に横移動すると共に、独自に上下移動するように構成されている。
【００６１】
点着ノズル３０２は棒状に形成され、内部にエア通路が設けられ、下端にはピペット状のノズルチップ３０１がシール状態で嵌合される。
【００６２】
また、点着部１００の近傍には、素子カートリッジ１０２が設けられている。素子カートリッジ１０２は、図８に示すように、上方から未使用の乾式分析素子１０１が複数枚重ねられて挿入される。素子カートリッジ１０２が素子搭載部１０３に装填されると、下端部が素子搭載部１０３の底壁１０３ａに保持され、素子搬送面と同一高さに最下端部の乾式分析素子１０１が位置し、その最下端部の点着部１００側の面には１枚の乾式分析素子１０１のみが通過し得る開口１３ａが、反対側の面には素子搬送部材４０１が挿通可能な開口１０２ｂが形成されている。
【００６３】
比色測定を行うインキュベータ２００は、外周部に円環状の回転部材２０１を備えている。回転部材２０１は、回転筒２０２を介して下部のベアリング２０９に回転可能に支持されている。回転部材２０１の上面には円周上に所定間隔で複数の凹部が形成されており、この凹部によってスリット状空間からなる素子室２０３（図８参照）が形成されている。
【００６４】
また、回転筒２０２の内孔は、測定後の乾式分析素子１０１の廃却孔２０４として形成され、素子室２０３の乾式分析素子１０１がそのまま中心側に移動し、落下して廃却される。
【００６５】
回転部材２０１の上方には、加熱手段が配設された部材２０５が設けられている。加熱手段の温度調整によって素子室２０３内の乾式分析素子１０１を所定の温度に恒温保持することができる。また、部材２０５には、素子室２０３に対応する位置に、乾式分析素子１０１を上から押えて検体の蒸発防止を行う押え部材２０６が配設されている。部材２０５の上方には保温カバー２０７が配設され、さらにインキュベータ２００は全体が遮光カバー２０８によって覆われる。インキュベータ２００の回転駆動は、不図示のベルト機構により行われ、往復回転駆動される。
【００６６】
さらに、回転部材２０１の各素子室２０３の底面中央には測光用の開口窓２０３ａが形成され、この開口窓２０３ａを通して測光ヘッド２１０による乾式分析素子１０１の反射光学濃度の測定が行われる。測光ヘッド２１０による測定結果は、図１に示す補正部３０に出力される。
【００６７】
なお、本実施形態では、比色タイプの乾式分析素子を用いて計測を行うようにしたが、これに限らず、電解質タイプの乾式分析素子を用いて電位差測定法によって測定を行うようにしてもよい。
【００６８】
遠心分離部１０は、図７に示すように、遠心分離用容器３の回転からユーザを保護するための開閉蓋１０ａを有し、遠心分離用容器３を収容する収容空間１０ｂを形成する筺体１２と、収容空間１０ｂ内に設けられ、遠心分離用容器３が装着される回転台１３とを備える。また、遠心分離容器３の回転中に開閉蓋１０ａが開かないように開閉蓋１０ａをロックするロック機構（図示省略）が設けられている。また、開閉蓋１０ａの遠心分離用容器３上の位置には、ノズルチップ３０１が出し入れされる開口１０ｃが形成されている。ユーザが遠心分離用容器３を設置する際には、開閉蓋１０ａが開かれ、遠心分離用容器３から遠心分離後の検体成分を取り出す際には、開閉蓋１０ａは閉じられたままの状態で、ノズルチップ３０１が開口１０ｃに挿入される。
【００６９】
遠心分離用容器３は、開閉蓋１０ａが開けられた状態で収容空間１０ｂに収容され、回転台１３に装着される。回転台１３は、不図示の回転機構（例えばモーター等）により回転自在に支持されており、回転台１３に装着された遠心分離用容器３の中心軸Ｃと回転台の回転軸とが一致した状態で遠心分離用容器３を回転させる。
【００７０】
また、遠心分離用容器３の収容空間１０ｂの回転台１３の近傍には、環境温度を計測する温度センサ１４と、環境湿度を計測する湿度センサ１５と、気圧を計測する気圧センサ１６とが設けられている。これらのセンサによって計測された環境温度情報、環境湿度情報および気圧情報が、上述した情報取得部４０の環境温度情報取得部４２、環境湿度情報取得部４３および気圧情報取得部４１にそれぞれ取得される。
【００７１】
次に、本実施形態の生化学分析装置１の全体動作について説明する。なお、ここでは生化学分析装置１の補正部３０における動作を中心に説明する。
【００７２】
まず、遠心分離部１０の回転台１３上に、検体が収容された遠心分離用容器３が設置され、遠心分離が行われる。本実施形態においては、遠心分離用容器３に血液が収容され、これを遠心分離することによって血漿成分を得るものとする。
【００７３】
次に、乾式分析素子１０１が、素子搬送機構４００によって素子カートリッジ１３から取り出されて点着部１００に搬送される。
【００７４】
そして、ノズルチップ３０１が装着された点着ノズル３０２が遠心分離用容器３の上方に移動し、点着ノズル３０２が下降して、ノズルチップ３０１に遠心分離用容器３内の血漿成分を吸引し、点着ノズル３０２を点着部１００に移動して、乾式分析素子１０１に血漿成分を点着する。なお、この際、遠心分離部１０の開閉蓋１０ａは開かれているものとする。
【００７５】
そして、血漿成分が点着された乾式分析素子１０１がインキュベータ２００の素子室２０３に挿入される。次に、素子室２０３を回転して、所定時間恒温保持した後、挿入された乾式分析素子１０１を測光ヘッド２１０の位置に移動させ、乾式分析素子１０１の反射光学濃度の測定が行われる。
【００７６】
測光ヘッド２１０による測定結果は、補正部３０に出力される。補正部３０は、入力された測定結果に基づいて、血漿成分に含まれる所定の生化学物質の濃度を算出する。
【００７７】
ここで、上述したように、いわゆる自転式遠心分離を行った場合、公転式遠心分離を行った場合と比較すると、気液界面の空気の入れ替わりが早く、かつ検体と空気とが接する表面積も大きいため、遠心分離中の液体成分の気化は、自然気化に比べて進行が早い。特に、液体成分が少ない場合には、その体積に対して空気に接する表面積が大きくなるため、気化のよる濃度変化量が大きくなる傾向にある。
【００７８】
図９は、自転式遠心分離による血漿成分の蒸発量を実験によって計測した結果を示すものであり、環境温度、環境湿度および血漿成分の量と蒸発量との関係を示したものである。図９の左側のグラフは、環境温度を１５℃として環境湿度を３０％、５０％および８０％に変化させた場合の蒸発量を示すグラフであり、図９の中央のグラフは、環境温度を２５℃として環境湿度を３０％、５０％および８０％に変化させた場合の蒸発量を示すグラフであり、図９の右側のグラフは、環境温度を３２℃として環境湿度を３０％、５０％および８０％に変化させた場合の蒸発量を示すグラフである。また、血漿成分の量を２５０μＬとした場合と、５５０μＬとした場合とで計測を行った。遠心分離の条件は、回転速度を１８０００ｍｉｎ―１として、１２０秒間回転させた。
【００７９】
図９のグラフに示すとおり、環境温度が高いほど蒸発量は増加し、環境湿度が高いほど蒸発量は減少し、血漿成分の量が少ないほど蒸発量が多くなった。
【００８０】
そこで、本実施形態の補正部３０では、計測部２０において実際に計測された結果に対して、上述したような血漿成分の気化に起因する生化学物質の濃度変化を補正するための補正演算処理を施す。
【００８１】
具体的には、本実施形態の補正部３０は、補正演算処理として、下式（１）に基づいて蒸発量Ｊ（％）を算出し、実際に測定された生化学物質の濃度Ｃ１と下式（２）とに基づいて、気化による濃度変化が補正された生化学物質の濃度Ｃ２を算出する。
蒸発量Ｊ（％）＝｛Ａ×Ｖ×Ｔ×Ｒ＋Ｂ×Ｔ×Ｒ＋Ｃ×Ｖ×Ｒ＋Ｄ×Ｖ×Ｔ＋Ｅ×Ｒ＋Ｆ×Ｔ＋Ｇ×Ｖ＋Ｈ｝×（ｔ÷１２０）×（１０１÷Ｐ）  ・・・（１）
ただし、Ｖは血漿成分の量（μＬ）であり、Ｔは環境温度（℃）であり、Ｒは環境湿度（％）であり、ｔは遠心分離の時間（ｓ）であり、Ｐは気圧（ｋＰａ）である。これらの情報は、情報取得部４０によって取得された情報である。また、上式（１）のＡ〜Ｈは、実験結果から求められる定数であり、下表１に示されるとおりである。
【００８２】
【表１】
0006510251.tif 000002
補正後の濃度Ｃ２＝補正前の測定濃度Ｃ１×（１−蒸発量Ｊ（％）／１００）・・・（２）
たとえば、上式（１）によって算出された蒸発量Ｊ＝１．５％であり、実際の測定濃度Ｃ１＝１０ｍｇ／ｄＬの場合、補正後の濃度Ｃ２＝９．８５ｍｇ／ｄＬである。
【００８３】
そして、補正部３０は、補正演算処理後の濃度Ｃ２を出力部５０に出力する。出力部５０は、入力された補正演算処理後の濃度Ｃ２を表示装置に表示させたり、データサーバ装置に出力して記憶させたり、印刷装置に出力して印刷物として出力させたりする。
【００８４】
次に、上述した本実施形態の補正演算処理の効果について説明する。図１０は、本実施形態の補正演算処理を施した濃度Ｃ２と補正演算処理前の濃度Ｃ１とを比較した結果を示すものである。図１０に示す実際の補正演算処理前の濃度Ｃ１は、４５歳のヒト（男性）の全血であって、ヘマトクリット値が４０％の全血１ｍＬを自転式遠心分離によって２分間遠心分離して血漿成分を取得し、その血漿成分中のＮａ濃度を測定した結果である。環境温度を１５℃、２５℃および３２℃として、湿度を３０％、５０％および８０％と変化させた場合のＮａ濃度の測定結果を示している。このときの気圧は１０１ｋＰａとした。測定部としては、ＦＤＣ７０００（富士フイルム株式会社製）を用い、乾式分析素子としては電解質タイプのものを用いた。また、図１０に示す実際の補正演算処理後の濃度Ｃ２は、上記の条件で実際に測定した濃度Ｃ１に対して、上式（１）および上式（２）を用いて補正演算処理を施した結果である。
【００８５】
なお、上述した全血を、公転式遠心分離装置であるＡＣＮＯ−３（株式会社アトムベッツメディカル製）を用いて遠心分離を行って取得した血漿成分中のＮａ濃度は、１２ｍｍｏｌ／Ｌであった。ここでは、この値を真値として考える。
【００８６】
図１０に示すグラフによれば、補正演算処理前の濃度Ｃ１よりも補正演算処理後の濃度Ｃ２の方が、真値である１２ｍｍｏｌ／Ｌに近い値であることがわかった。すなわち、補正演算処理後の濃度Ｃ２の方が、血漿成分の気化に起因する濃度変化がより少ないことがわかった。
【００８７】
なお、上記実施形態においては、実際の環境温度、環境湿度、気圧、遠心分離時間および血漿成分の量の情報を上式（１）に代入して蒸発量Ｊを算出するようにしたが、必ずしもこれらの全ての情報について実際の値を取得しなくてもよく、一部の情報については、固定値を使用するようにしてもよい。たとえば、図１１は、環境温度、環境湿度および遠心分離時間のみ実際の値を代入し、気圧および血漿成分の量については、固定値を使用した場合の補正演算処理後の濃度Ｃ２を示すものである。なお、気圧は１０１ｋＰａ、血漿成分の量は４００μＬとした。実際に濃度Ｃ１を計測する際における血漿成分の量は２５０μＬであった。図１１のグラフに示すように、血漿成分の量および気圧の値を固定値として上式（１）および上（２）を用いて濃度Ｃ２を計算したとしても、真値である１２ｍｍｏｌ／Ｌに近い値を算出することができた。
【００８８】
また、図１２は、血漿成分の量、環境湿度および遠心分離時間のみ実際の値を代入し、環境温度および気圧については、固定値を使用した場合の補正演算処理後の濃度Ｃ２を示すものである。なお、気圧は１０１ｋＰａ、環境温度は２５℃とした。実際に濃度Ｃ１を計測する際における血漿成分の量は４００μＬであった。図１２のグラフに示すように、環境温度および気圧の値を固定値として上式（１）および上（２）を用いて濃度Ｃ２を計算したとしても、真値である１２ｍｍｏｌ／Ｌに近い値を算出することができた。
【００８９】
また、図１３は、血漿成分の量、環境温度および遠心分離時間のみ実際の値を代入し、環境湿度および気圧については、固定値を使用した場合の補正演算処理後の濃度Ｃ２を示すものである。なお、気圧は１０１ｋＰａ、環境湿度は５０％とした。実際に濃度Ｃ１を計測する際における血漿成分の量は４００μＬであった。図１３のグラフに示すように、環境湿度および気圧の値を固定値として上式（１）および上（２）を用いて濃度Ｃ２を計算したとしても、真値である１２ｍｍｏｌ／Ｌに近い値を算出することができた。
【００９０】
また、図１４は、環境湿度および遠心分離時間のみ実際の値を代入し、血漿成分の量、環境温度および気圧については、固定値を使用した場合の補正演算処理後の濃度Ｃ２を示すものである。なお、血漿成分の量は４００μＬ、気圧は１０１ｋＰａ、環境温度は２５℃とした。実際に濃度Ｃ１を計測する際における血漿成分の量は２５０μＬであった。図１４のグラフに示すように、血漿成分の量、環境温度および気圧の値を固定値として上式（１）および上式（２）を用いて濃度Ｃ２を計算したとしても、真値である１２ｍｍｏｌ／Ｌに近い値を算出することができた。
【００９１】
図１１〜図１４に示した補正演算処理の結果から、上式（１）を用いて蒸発量を算出する場合、環境温度、環境湿度および血漿成分の量は、必ずしも全てについて実際の値を用いなくてもよく、一部の値については固定値としてもよいことがわかる。
【００９２】
また、上記実施形態においては、上式（１）を用いて蒸発量Ｊを算出するようにしたが、蒸発量Ｊを固定値としてもよい。図１５は、蒸発量Ｊを０．７％の固定値として上式（２）を用いて濃度Ｃ２を算出した場合のグラフを示すものである。図１５のグラフに示すように、蒸発量Ｊを固定値として上式（２）を用いて濃度Ｃ２を計算したとしても、真値である１２ｍｍｏｌ／Ｌに近い値を算出することができた。
【００９３】
また、上記実施形態においては、上式（２）に示すように、血漿成分の蒸発によって増加した分のＮａ濃度を実際の測定濃度から減算するようにしたが、たとえば、測定対象が血漿成分に含まれるＴＣＯ２である場合には、血漿成分の蒸発によってＴＣＯ２の一部も血漿成分とともに放出されることになる。
【００９４】
したがって、測定対象がＴＣＯ２である場合には、上式（２）の代わりに下式（３）を用いて補正演算処理を行うことによって、放出されたＴＣＯ２の量を実際の測定結果に加算するようにしてもよい。
補正後の濃度Ｃ２＝補正前の測定濃度Ｃ１×（１＋３×蒸発量Ｊ（％））・・・（３）
なお、上式（３）において蒸発量に乗算される数値「３」は、実験結果から予め取得した数値である。
【００９５】
ただし、蒸発量に乗算される数値については、たとえば測定対象の種類に応じて変更するようにしてもよい。具体的には、たとえば複数の測定対象の種類と蒸発量に乗算される数値とを対応づけたテーブルを装置内に予め記憶しておき、ユーザによる測定対象の種類の入力またはＦＤＣ７０００（富士フイルム株式会社製）のように試薬に付されているドットコードから種類の情報を受け取り、テーブルを参照することによって、蒸発量に乗算される数値を設定するようにしてもよい。
【００９６】
また、Ｎａ濃度およびＴＣＯ２などといった測定対象の種類に応じて、上式（２）や上式（３）のような補正演算処理の演算式を変更するようにしてもよい。具体的には、たとえば複数の測定対象の種類と補正演算処理に用いられる演算式とを対応付けて装置内に記憶しておき、ユーザによる測定対象の種類の入力またはＦＤＣ７０００（富士フイルム株式会社製）のように試薬に付されているドットコードから種類の情報を受け取り、その種類に対応した補正演算処理に用いられる演算式を設定するようにしてもよい。
【００９７】
また、上述したように、本実施形態の生化学分析装置１における計測部２０は、生化学分析装置１に内蔵された遠心分離部１０によって遠心分離された検体だけでなく、外部遠心分離装置２によって遠心分離された検体に含まれる生化学物質も計測可能なものであるが、外部遠心分離装置２によって遠心分離された検体を計測する場合には、補正部３０は、上述したような補正演算処理を行わないようにしてもよい。この場合、出力部５０は、実際に計測された結果を表示装置に表示したり、印刷装置に出力したりする。
【００９８】
また、上述したように外部遠心分離装置２によって遠心分離された検体成分を計測する場合、補正演算処理を行わないのではなく、上式（１）におけるＡ〜Ｈの定数（以下、演算パラメータという）をゼロに設定するようにしてもよい。なお、内蔵された遠心分離部１０によって遠心分離された検体を測定するのか、または外部遠心分離装置２によって遠心分離された検体を計測するのかの情報については、ユーザが入力部６０を用いて入力するようにすればよい。
【００９９】
また、必ずしも演算パラメータをゼロにする必要はなく、たとえば外部遠心分離装置２に応じた演算パラメータを設定しておき、その演算パラメータを用いて上式（１）の演算処理を行うようにしてもよい。さらに、複数の外部遠心分離装置の種類と演算パラメータとを対応づけたテーブルを装置内に予め記憶しておき、ユーザによる外部遠心分離装置の種類の入力を受け付けてテーブルを参照することによって、演算パラメータを設定するようにしてもよい。なお、外部遠心分離装置の種類に応じた演算パラメータは、実験などによって予め求めるようにすればよい。
【０１００】
また、上記実施形態の上式（１）においては、血漿成分の量を考慮して蒸発量Ｊを算出するようにしているが、この血漿成分の量は、ユーザが入力部６０を用いて設定入力するようにしてもよいし、たとえばセンサなどを用いて計測するようにしてもよい。
【０１０１】
ユーザが入力部６０を用いて設定入力する場合には、必ずしも血漿成分の量そのものを設定入力しなくてもよく、たとえばヘマトクリット値と遠心分離用容器に分注された全血の量をユーザが設定入力し、補正部３０が、下式（４）を用いて血漿成分の量を算出するようにしてもよい。
血漿成分の量＝全血の量×（１−ヘマトクリット値（％）／１００）・・・（４）
また、上式（４）に基づいて血漿成分の量を算出する場合、全血の量については、ユーザが設定入力するのではなく、センサなどを用いて計測するようにしてもよい。また、遠心分離後の血漿成分の量をセンサなどを用いて直接計測するようにしてもよい。
【０１０２】
血漿成分の量や全血の量をセンサによって計測する方法としては、重量センサを用いるようにしてもよいし、液面検出センサを用いて血漿成分や全血の液面を検出し、その液面の高さに基づいて量を算出するようにしてもよい。具体的には、図１６に示すように、遠心分離用容器３内に収容された全血または血漿成分の液面の高さＨを測定し、この高さＨに基づいて、全血の量や血漿成分の量を算出するようにしてもよい。液面の高さＨと全血や血漿成分の量との関係については、たとえば図１７に示すようなテーブルを予め設定しておくようにすればよい。また、液面検出センサについては、種々の公知なものを用いることができる。
【０１０３】
なお、上述したようにセンサによって血漿成分の量を計測する場合には、血漿成分中の生化学物質の計測を行う毎にその都度、血漿成分の量を計測し、その計測した量を用いて補正演算処理を行うことが望ましい。
【０１０４】
また、上記実施形態において、複数の大きさ（体積）の遠心分離用容器を使用する場合には、その大きさによって遠心分離用容器内の検体と空気とが接触する面積が異なるため、遠心分離による検体の気化量も異なるものとなる。そこで、図１８に示すように、容器情報取得部４６をさらに設け、この容器情報取得部４６によって取得された遠心分離用容器の種類の情報に基づいて、上式（１）の演算パラメータを設定するようにしてもよい。具体的には、たとえば補正部３０に、複数種類の遠心分離用容器に対応する演算パラメータをそれぞれ記憶しておき、容器情報取得部４６によって取得された遠心分離用容器の情報に基づいて、演算パラメータを設定するようにすればよい。
【０１０５】
遠心分離用容器の種類の情報については、ユーザが入力部６０を用いて設定入力するようにしてもよいし、または、各遠心分離用容器上にその種類情報が記憶されたＩＣ（integrated circuit）タグまたはバーコードなどを設け、これらをユーザが装置に接続したリーダ装置などを用いて読み出すことによって取得するようにしてもよいし、装置内で自動的に読み出すことによって取得するようにしてもよい。また、遠心分離用容器の種類の情報としては、容器の容量または開口径などを用いるようにしてもよい。
【符号の説明】
【０１０６】
１     生化学分析装置
２     外部遠心分離装置
３     遠心分離用容器
４     容器本体
５     蓋部
６     検体
６ａ   低比重の成分
６ｂ   高比重の成分
７     分離剤
１０   遠心分離部
１０ａ 開閉蓋
１０ｂ 収容空間
１１   貯留空間
１１ａ トラップ空間
１２   筺体
１３   回転台
１３   素子カートリッジ
１３ａ 開口
１４   温度センサ
１５   湿度センサ
１６   気圧センサ
２０   計測部
２１   傾斜内壁部
２２   底部
２３   凹部
２４   トラップ底面部
２５   嵌合部
２６   支持外壁部
２７   トラップ側面部
２８   突起部
３０   補正部
４０   情報取得部
４１   気圧情報取得部
４２   環境温度情報取得部
４３   環境湿度情報取得部
４４   時間情報取得部
４５   検体量情報取得部
４６   容器情報取得部
５０   出力部
５１   開口部
５２   開口
５３   トラップ上面部
６０   入力部
１００ 点着部
１０１ 乾式分析素子
１０２ 素子カートリッジ
１０２ｂ       開口
１０３ 素子搭載部
１０３ａ       底壁
１０４ａ       点着用開口
１０４ｂ       空間
２００ インキュベータ
２０１ 回転部材
２０２ 回転筒
２０３ 素子室
２０３ａ       開口窓
２０４ 廃却孔
２０７ 保温カバー
２０８ 遮光カバー
２０９ ベアリング
２１０ 測光ヘッド
３００ 点着機構
３０１ ノズルチップ
３０２ 点着ノズル
３０３ 移動フレーム
３０４ 縦ガイドレール
３０５ ノズル固定台
３０６ 駆動伝達部材
３０７ プーリ
３０８ ベルト
３１０ 固定フレーム
３１２ 水平ガイドレール
４００ 素子搬送機構
４０１ 素子搬送部材
４０２ ガイドロッド
４０３ 縦板
４０３ａ       ガイド穴
５００ チップ廃却部
【図１】
0006510251.tif 000003
【図２】
0006510251.tif 000004
【図３】
0006510251.tif 000005
【図４】
0006510251.tif 000006
【図５】
0006510251.tif 000007
【図６】
0006510251.tif 000008
【図７】
0006510251.tif 000009
【図８】
0006510251.tif 000010
【図９】
0006510251.tif 000011
【図１０】
0006510251.tif 000012
【図１１】
0006510251.tif 000013
【図１２】
0006510251.tif 000014
【図１３】
0006510251.tif 000015
【図１４】
0006510251.tif 000016
【図１５】
0006510251.tif 000017
【図１６】
0006510251.tif 000018
【図１７】
0006510251.tif 000019
【図１８】
0006510251.tif 000020
【図１９】
0006510251.tif 000021
【図２０】
0006510251.tif 000022